(57)【特許請求の範囲】
【請求項１】
白色または有彩色の表地と、
前記表地の少なくとも一部に付された、マンセル表色系（ＪＩＳ  Ｚ８７２１）による明度が３．５以下の有彩色または無彩色の裏地と
を含む看護師が着用するための裏地付白衣。
【請求項２】
前記裏地は、前記表地、前記裏地、無地の下着および肌色サンプルを順に重ねたサンプルに対して、前記表地側から光を照射して生じる反射光のＣＩＥＬＡＢ色空間の座標を（Ｌ＊ｃ，ａ＊ｃ，ｂ＊ｃ）とし、前記表地、前記裏地および肌色サンプルを順に重ねたサンプルに対して、前記表地側から光を照射して生じる反射光のＣＩＥＬＡＢ色空間の座標を（Ｌ＊ｔ，ａ＊ｔ，ｂ＊ｔ）としたとき、下式１の関係を満たす裏地である
【数１】
0005286385.tif 000024
請求項１に記載の裏地付白衣。
【請求項３】
前記裏地は、前記表地、前記裏地、無地の第１下着および肌色サンプルを順に重ねたサンプルに対して、前記表地側から光を照射して生じる反射光のＣＩＥＬＡＢ色空間の座標を（Ｌ＊１，ａ＊１，ｂ＊１）とし、前記表地、前記裏地、前記第１下着とは異なる無地の第２下着および肌色サンプルを順に重ねたサンプルに対して、前記表地側から光を照射して生じる反射光のＣＩＥＬＡＢ色空間の座標を（Ｌ＊２，ａ＊２，ｂ＊２）としたとき、下式２の関係を満たす裏地である
【数２】
0005286385.tif 000025
請求項１に記載の裏地付白衣。
【請求項４】
前記表地の色が白色である請求項１から３の何れか１項に記載の裏地付白衣。
【請求項５】
前記裏地は、前記表地の胸部を含む領域および骨盤部を含む領域の少なくとも一方に付された請求項１から４の何れか１項に記載の裏地付白衣。
【請求項６】
前記表地の形状がワンピースである請求項１から５の何れか１項に記載の裏地付白衣。
【請求項７】
前記表地の形状が上衣である請求項１から５の何れか１項に記載の裏地付白衣。
【請求項８】
肌色サンプル、マンセル表色系（ＪＩＳ  Ｚ８７２１）による明度が３．５以下の有彩色または無彩色の裏地サンプルおよび表地サンプルを順に重ねて対照サンプルを作製すること、
前記肌色サンプルと同一の肌色サンプル、下着サンプル、前記裏地サンプルと同一の裏地サンプルおよび前記表地サンプルと同一の表地サンプルを順に重ねて試験サンプルを作製すること、
前記対照サンプルの前記表地サンプルに光を照射し、その反射光のＣＩＥＬＡＢ色空間の座標Ｌ＊ｃ、ａ＊ｃおよびｂ＊ｃの各値を定量すること、
前記試験サンプルの前記表地サンプルに光を照射し、その反射光のＣＩＥＬＡＢ色空間の座標Ｌ＊ｔ、ａ＊ｔおよびｂ＊ｔの各値を定量すること、および
前記対照サンプルおよび前記試験サンプルから得られた各座標の値を下式３に代入して、色差ΔＥ＊を算出すること、
【数３】
0005286385.tif 000026
を含む、請求項１に記載の裏地の透過性を測定する方法。
【請求項９】
肌色サンプル、第１下着サンプル、マンセル表色系（ＪＩＳ  Ｚ８７２１）による明度が３．５以下の有彩色または無彩色の裏地サンプルおよび表地サンプルを順に重ねて第１試験サンプルを作製すること、
前記肌色サンプルと同一の肌色サンプル、前記第１下着サンプルとは異なる第２下着サンプル、前記裏地サンプルと同一の裏地サンプルおよび前記表地サンプルと同一の表地サンプルを順に重ねて第２試験サンプルを作製すること、
前記第１試験サンプルの前記表地サンプルに光を照射し、その反射光のＣＩＥＬＡＢ色空間の座標Ｌ＊１、ａ＊１およびｂ＊１の各値を定量すること、
前記第２試験サンプルの前記表地サンプルに光を照射し、その反射光のＣＩＥＬＡＢ色空間の座標Ｌ＊２、ａ＊２およびｂ＊２の各値を定量すること、および
前記第１試験サンプルおよび前記第２試験サンプルから得られた各座標の値を下式４に代入して、色差ΔＥ＊を算出すること、
【数４】
0005286385.tif 000027
を含む、請求項１に記載の裏地の透過性を測定する方法。
【請求項１０】
前記色差ΔＥ＊が基準値以下であるか否かを判定することをさらに含む請求項８または９に記載の方法。
【請求項１１】
前記基準値が０．２である請求項１０に記載の方法。
【発明の詳細な説明】
【技術分野】
【０００１】
本発明の実施形態は、裏地付白衣に関する。
【背景技術】
【０００２】
医療に従事する医師および看護師は白衣を着用する。このとき、特に女性の医師および看護師において、内部に着用した下着の色や形状が白衣を通して透けて見えることを防止したいという要求が存在する。
【０００３】
表地に対して裏地を付した衣類が存在するものの、裏地は一般的に肌触りの向上または防寒を目的として設けられている。そのような衣類では、下着の透過を防止する効果は十分に得られない。
【０００４】
したがって、多くの場合、白衣の下にＴシャツといったインナーを着用することで下着の透過が防止されている。しかしながら、この場合、動き易さの低下や体温の過度な上昇をもたらし、円滑な医療行為の妨げとなる。
【先行技術文献】
【特許文献】
【０００５】
【特許文献１】特許第３８０８３４２号公報
【特許文献２】特許第４２９６４８５号公報
【特許文献３】特許第４４７８８６０号公報
【発明の概要】
【発明が解決しようとする課題】
【０００６】
本発明が解決しようとする課題は、内部に着用する下着の色が透けて見えない裏地付白衣を提供することである。
【課題を解決するための手段】
【０００７】
実施形態の裏地付白衣は、白色または有彩色の表地と、前記表地の少なくとも一部に付された、マンセル表色系（ＪＩＳ  Ｚ８７２１）による明度が３．５以下の有彩色または無彩色の裏地とを含む。
【発明の効果】
【０００８】
実施形態の裏地付白衣は、内部に着用した下着の色が表地を介して透けて見えることを防ぐ効果を有する。
【図面の簡単な説明】
【０００９】
【図１】第１の実施形態に係る裏地付白衣を示す図。
【図２】第２の実施形態に係る裏地付白衣を示す図。
【図３】赤色色相におけるトーンごとの評価を示す図。
【図４】オレンジ色色相におけるトーンごとの評価を示す図。
【図５】黄色色相におけるトーンごとの評価を示す図。
【図６】緑色色相におけるトーンごとの評価を示す図。
【図７】青色色相におけるトーンごとの評価を示す図。
【図８】紫色色相におけるトーンごとの評価を示す図。
【図９】無彩色色相における評価を示す図。
【図１０】測定結果を色相（Ｈｕｅ）−明度（Ｖａｌｕｅ）平面にプロットした図。
【発明を実施するための形態】
【００１０】
（裏地付白衣）
本発明の実施形態は、裏地付白衣に関する。実施形態に係る裏地付白衣は、表地と裏地とを含む。
【００１１】
表地とは、裏地付白衣を着用した際に外側に位置する布地を意味する。白衣の色は、一般的に白に限定されず、用途に応じて有彩色とされている。したがって、実施形態における表地の色も白色または有彩色であってよい。有彩色とは、例えば、薄い青色、薄い緑色、薄いピンク色等であってよい。
【００１２】
表地の形状は、コートの形状、ワンピースの形状、または上衣と下衣から成るツーピースの形状であってよい。特に、実施形態に係る裏地付白衣は、下着の上に直接着る白衣であることが好ましい。すなわち、表地の形状はワンピースまたはツーピースであることが好ましい。ツーピースの場合、特に上衣であることが好ましい。上衣とは、上半身に着用する衣類を意味し、例えばジャケット、シャツまたはカットソーであってよい。下衣とは、下半身に着用する衣類を意味し、例えばズボンまたはスカートであってよい。表地の素材に特別限定は無く、一般的な白衣の表地として使用される素材であってよい。例えば、表面加工が施されたもの、特殊な編み方により形成されたもの等であってもよい。
【００１３】
裏地とは、裏地付白衣を着用した際に内側に位置する布地を意味する。裏地の色は、有彩色であっても、無彩色であってもよい。
【００１４】
裏地は、好ましくは、マンセル表色系（ＪＩＳ  Ｚ８７２１）による明度が３．５以下の色を有する。裏地の色が有彩色である場合、その色相は、マンセル表色系（ＪＩＳ  Ｚ８７２１）の色相環の１０．０Ｒと２．５Ｙとに挟まれる領域であって５Ｂを含む領域に属していてよい。
【００１５】
あるいは、裏地は、表地と重ねられた場合に光の透過性に関して特定の機能を示すものであってよい。
【００１６】
例えば、表地、裏地、無地の下着および肌色サンプルを順に重ねたサンプルに対して、表地側から光を照射して生じる反射光の色と、表地、裏地および肌色サンプルを順に重ねたサンプルに対して、表地側から光を照射して生じる反射光の色との間の色差が、特定の基準値以下であるような裏地を使用することができる。基準値は好ましくは０．２である。ここで、色差の算出のために使用される表地および肌色サンプルは同一ものとされる。肌色サンプルは色票または布地であってよい。このような裏地を使用すると、肌の色に対して下着の色が視認されるのを防ぐことが出来る。具体的には、好ましい裏地は、表地、裏地、無地の下着および肌色サンプルを順に重ねたサンプルに対して、表地側から光を照射して生じる反射光のＣＩＥＬＡＢ色空間の座標を（Ｌ＊ｃ，ａ＊ｃ，ｂ＊ｃ）とし、一方、表地、裏地および肌色サンプルを順に重ねたサンプルに対して、表地側から光を照射して生じる反射光のＣＩＥＬＡＢ色空間の座標を（Ｌ＊ｔ，ａ＊ｔ，ｂ＊ｔ）としたとき、下式１の関係を満たす。
【数１】
0005286385.tif 000002
【００１７】
また、表地、裏地、無地の第１下着および肌色サンプルを順に重ねたサンプルに対して、表地側から光を照射して生じる反射光の色と、表地、裏地、第１下着とは異なる無地の第２下着および肌色サンプルを順に重ねたサンプルに対して、表地側から光を照射して生じる反射光の色との間の色差が、特定の基準値以下であるような裏地を使用することができる。基準値は好ましくは０．２である。ここで、色差の算出のために使用される表地および肌色サンプルは同一ものとされる。好ましくは、第１下着の色と第２下着の色とは互いに異なる。このような裏地を使用すると、下着の複数の色から成る柄が視認されるのを防ぐことができる。具体的には、好ましい裏地は、表地、裏地、無地の第１下着および肌色サンプルを順に重ねたサンプルに対して、表地側から光を照射して生じる反射光のＣＩＥＬＡＢ色空間の座標を（Ｌ＊１，ａ＊１，ｂ＊１）とし、一方、表地、裏地、第１下着とは異なる無地の第２下着および肌色サンプルを順に重ねたサンプルに対して、表地側から光を照射して生じる反射光のＣＩＥＬＡＢ色空間の座標を（Ｌ＊２，ａ＊２，ｂ＊２）としたとき、下式２の関係を満たす。
【数２】
0005286385.tif 000003
【００１８】
裏地は、表地の裏面、すなわち着用した際に内側となる面の少なくとも一部に付される。好ましくは、下着および裏地付白衣を着用した場合に、表地のなかの下着と重なる領域に付される。例えば、裏地は、表地の胸部を含む領域および骨盤部を含む領域の少なくとも一方に付される。胸部とは、乳房並びに乳房と同じ高さに位置するわき腹および背中から成る人体の部位を意味する。胸部を含む領域に裏地を付す場合、ブラジャーといった乳房を覆う下着の透過を防止することが可能となる。骨盤部とは、陰部、臀部および腰骨から成る人体の部位を意味する。骨盤部を含む領域に裏地を付す場合、陰部および臀部を覆う下着の透過を防止することが可能となる。胸部を含む領域および骨盤部を含む領域の他に、肩を含む領域に裏地を付すことができる。肩を含む領域に裏地を付す場合、例えばブラジャーの肩紐の透過を防止することができる。一方、表地の布地が厚く作られる領域、裏地を付すのが製造上困難な領域、裏地を付すことが機能上避けられる領域等については、裏地を付さなくてもよい。例えば、前開きまたは後開きの裏地付白衣において、合せ目部分およびその付近は、布地が厚く作られているためまたは機能上の理由から、裏地を付さないことができる。
【００１９】
裏地は、表地に対して一般的な方法によって付すことができる。例えば、表地に対し裏地を縫い付けることができる。あるいは、接着性の材料を用いて表地に対し裏地を貼り付けることができる。あるいは、ピン等を用いて表地に対し裏地を留めることができる。
【００２０】
実施形態に係る裏地付白衣１により、内部に着用した下着の色が表地を介して透けて見えることが防止される。ここにおいて、透けて見えることの防止とは、下着の色自体の透過が防止されること、および下着と肌との色差が縮小される結果、下着を視認できなくなることのいずれかまたはその両方を意味する。下着の色が着用者の肌の色に近い場合だけでなく、下着の色と肌の色との色差が大きい場合であっても、下着の色の透過を防止することができる。また、下着が複数の色を有する場合、すなわち下着に柄の模様が施されている場合であっても、全ての色の透過を防止することができ、その結果、表地を介した下着の視認および下着の柄の視認を抑制する。裏地付白衣１による透過防止効果は、あらゆる人種の肌の色において得ることができる。
【００２１】
図１および２に、実施形態に係る裏地付白衣の例を示す。
【００２２】
図１は、第１の実施形態に係る裏地付白衣１を示す図である。図１は、裏地付白衣１の一部を裁断し、裏地側が手前となるように開いた状態を示している。具体的には、両袖を外した後、襟および肩の部分を裁断し且つ身頃の右側を裁断して開いた状態を示している。図１において、裏地付白衣１の前面に符号７を付し、背面に符号８を付す。
【００２３】
図１に示される裏地付白衣１は、表地２と、表地２の一部に付された裏地３と、表地２の一部に付されたメッシュ生地４とを含む。この実施形態では、表地２の形状はワンピースである。表地２は、前面７の中央に合せ目５を有する。また、表地２は、袖を縫いつけるためのアームホール６を有する。背面８では、表地２の胸部を含む領域および骨盤部を含む領域に裏地３が縫い付けられている。具体的には、裏地３は、襟およびアームホール６を除いた腰の位置から上の領域、および裾から一定幅の部分を除いた腰の位置から下の領域に設けられている。一方、前面７では、背面８と同様に、胸部を含む領域および骨盤部を含む領域に裏地３が縫い付けられているものの、合せ目５およびその周囲においては裏地３が付されていない。これにより、白衣としての使い勝手と、裏地３による下着の透過防止効果との両立が図られている。表地の腰の位置には、メッシュ生地４が貼り付けられている。これにより、通気および放熱を促進し、裏地付白衣と体との間に汗に由来する湿気および熱がこもることを抑制している。
【００２４】
図２は、第２の実施形態に係る裏地付白衣１を示す図である。図２は、裏地付白衣１の一部を裁断し、裏地側が手前となるように開いた状態を示している。具体的には、両袖を外した後、襟および肩の部分を裁断して開いた状態を示している。第２の実施形態に係る裏地付白衣１において、表地３の形状はジャケットであるため、前面は合せ目５によって分離する。したがって、図２は、裁断した部分および合せ目５にて開いた状態が示される。図２において、裏地付白衣１の背面に符号８を付し、左前面に符号９を付し、右前面に符号１０を付す。
【００２５】
図２に示される裏地付白衣１は、表地２と、表地２の一部に付された裏地３とを含む。この実施形態では、表地３の形状は上衣であり、具体的にはジャケットである。表地１は、袖を縫いつけるためのアームホール６を有する。背面８では、表地２の胸部を含む領域に裏地３が縫い付けられている。具体的には、裏地３は、襟を除いた腰の位置から上の領域に設けられている。一方、左前面９および右前面１０では、背面８と同様に、胸部を含む領域に裏地３が縫い付けられているものの、合せ目５およびその周囲においては裏地３が付されていない。これにより、白衣としての使い勝手と、裏地３による下着の透過防止効果との両立が図られている。
【００２６】
（測定方法）
本発明の実施形態は、裏地の透過性を測定する方法に関する。この方法は、好ましくは、実施形態に係る裏地付白衣に使用する裏地を選定する場合に利用される。
【００２７】
まず、第３の実施形態に係る裏地の透過性を測定する方法を説明する。第３の実施形態に係る方法では、対照サンプルを作製すること、試験サンプルを作製すること、対照サンプルに光を照射して反射光のＣＩＥＬＡＢ色空間の座標を定量すること、試験サンプルに光を照射して反射光のＣＩＥＬＡＢ色空間の座標を定量すること、およびそれらの定量結果に基づいて色差を算出することを含む。第３の実施形態に係る方法によれば、裏地付白衣を介して視認される下着の色と肌の色との間の色差を算出することができる。
【００２８】
対照サンプルの作製は、肌色サンプル、裏地サンプルおよび表地サンプルを順に重ねることで行われる。肌色サンプルとは、裏地付白衣の着用者の肌の色として想定される色を有するサンプルであり、例えば肌色色票が使用される。裏地サンプルとしては、測定の対象とする裏地と同一の布地が使用される。表地サンプルとしては、裏地付白衣における使用が想定される表地と同一の布地が使用される。
【００２９】
試験サンプルの作製は、肌色サンプル、下着サンプル、裏地サンプルおよび表地サンプルを順に重ねることで行われる。試験サンプルにおける肌色サンプル、裏地サンプルおよび表地サンプルは、それぞれ対照サンプルにおいて使用する肌色サンプル、裏地サンプルおよび表地サンプルと同一のものを使用する。下着サンプルは、任意に選択した下着またはその一部が使用される。下着サンプルは、互いに色の異なる複数のものを使用することができる。下着の数に応じて、作製する試験サンプルを増やしてもよい。
【００３０】
対照サンプルへの光の照射は、作製した対照サンプルに対し、表地サンプル側から光を照射することで行われる。光は、任意の光源から発せられるものを使用できるが、例えば、標準光源、特にＤ６５光源を用いることができる。光照射後、その反射光のＣＩＥＬＡＢ色空間の座標を定量する。ここにおいて反射光とは、照射した光が、対照サンプルにおいて反射して生じる光である。反射光は、表地サンプルにおいて反射した光、裏地サンプルにおいて反射し表地サンプルを透過した光、および肌色サンプルにおいて反射し裏地サンプルおよび表地サンプルを透過した光が合成した光と考えられる。反射光のＣＩＥＬＡＢ色空間の座標Ｌ＊、ａ＊およびｂ＊が測定される。ここにおいて、対照（Ｃｏｎｔｒｏｌ）サンプルにおいて測定した座標をＬ＊ｃ、ａ＊ｃおよびｂ＊ｃと称する。光の照射および反射光の測定は、同一サンプルにおいて複数回行うことができる。複数回行う場合、同一サンプル上の測定部位は、全ての測定において同一とすることができ、または測定ごとに変更することができる。複数回測定した場合、それらの平均値をそのサンプルの測定結果とすることができる。光の照射から反射光の測定までの一連の操作は、任意の測定装置を使用して行うことができる。例えば、分光光度計を使用して行うことができる。
【００３１】
試験サンプルへの光の照射およびその後の反射光の測定は、対照サンプルにおいて行う場合と同様に行うことができる。対照サンプルにおいて使用した測定条件は、試験サンプルの測定においてもそのまま使用される。試験（Ｔｅｓｔ）サンプルでは、測定した座標をＬ＊ｔ、ａ＊ｔおよびｂ＊ｔと称する。試験サンプルが複数である場合、全て同一条件の下、光の照射および測定が行われ、試験サンプルごとに測定結果が求められる。
【００３２】
定量結果に基づいて色差の算出が行われる。すなわち、対照サンプルおよび試験サンプルから得られた各座標の値を下式３に代入して、色差ΔＥ＊を算出する。なお、試験サンプルが複数である場合、それぞれの試験サンプルの定量結果と対照サンプルの定量結果との間で色差ΔＥ＊が算出される。
【数３】
0005286385.tif 000004
【００３３】
次に、第４の実施形態に係る裏地の透過性を測定する方法を説明する。第４の実施形態に係る方法では、第１試験サンプルを作製すること、第２試験サンプルを作製すること、第１試験サンプルに光を照射して反射光のＣＩＥＬＡＢ色空間の座標を定量すること、第２試験サンプルに光を照射して反射光のＣＩＥＬＡＢ色空間の座標を定量すること、およびそれらの定量結果に基づいて色差を算出することを含む。第４の実施形態に係る方法では、柄を有した下着を着用した場合を想定している。すなわち、裏地付白衣を介して視認される、柄を構成する各色の色差を算出することができる。
【００３４】
第１試験サンプルの作製は、肌色サンプル、裏地サンプル、第１下着サンプルおよび表地サンプルを順に重ねることで行われる。肌色サンプルとは、裏地付白衣の着用者の肌の色として想定される色を有するサンプルであり、例えば肌色色票が使用される。裏地サンプルとしては、測定の対象とする裏地と同一の布地が使用される。第１下着サンプルは、任意に選択した下着またはその一部が使用される。表地サンプルとしては、裏地付白衣における使用が想定される表地と同一の布地が使用される。
【００３５】
第２試験サンプルの作製は、肌色サンプル、第２下着サンプル、裏地サンプルおよび表地サンプルを順に重ねることで行われる。第２試験サンプルにおける肌色サンプル、裏地サンプルおよび表地サンプルは、それぞれ第１試験サンプルにおいて使用する肌色サンプル、裏地サンプルおよび表地サンプルと同一のものを使用する。一方、第２下着サンプルは、第１下着サンプルとは異なる下着またはその一部が使用される。例えば、第２下着サンプルとして、第１下着サンプルの色と異なる色を有する下着またはその一部が使用される。
【００３６】
第１試験サンプルまたは第２試験サンプルへの光の照射および反射光の測定は、第３の実施形態における対照サンプルへの光の照射および反射光の測定と同様に行うことができる。なお、第１試験サンプルにおいて測定した座標をＬ＊１、ａ＊１およびｂ＊１と称し、第２試験サンプルにおいて測定した座標をＬ＊２、ａ＊２およびｂ＊２と称する。
【００３７】
定量結果に基づいて色差の算出が行われる。すなわち、第１試験サンプルおよび第２試験サンプルから得られた各座標の値を下式４に代入して、色差ΔＥ＊を算出する。
【数４】
0005286385.tif 000005
【００３８】
第４の実施形態に係る裏地の透過性を測定する方法において、試験サンプルを更に増やすこともできる。例えば、第３試験サンプルおよび第４試験サンプルを更に作製することができる。この場合、これらに使用される第３下着サンプルおよび第４下着サンプルのそれぞれは、第１下着サンプルおよび第２下着サンプルとは異なるものとされる。また、第３下着サンプルおよび第４下着サンプルは互いに異なるものとされる。第３試験サンプルおよび第４試験サンプルは、第１試験サンプルおよび第２試験サンプルと同様に測定することができる。その後、各試験サンプルからの測定結果を任意に組合せて、種々の色差が算出される。測定した裏地が、３種以上の色の組合せから成る柄に対して透過防止性を発揮するか、または異なる色の組合せから成る複数の柄に対して透過防止性を発揮するかを検討することができる。
【００３９】
第３の実施形態に係る方法または第４の実施形態に係る方法には、さらに、色差ΔＥ＊が所定の基準値以下であるか否かを判定することを含めることができる。裏地付白衣を介した下着の透過具合は、色差の値が小さいほど透過しにくくなる。したがって、容認可能な透過具合に基づいて、基準値を設定することができる。例えば、色差が１．０を超える場合、視感評価によって下着の透過を確認できるため、基準値は１．０とすることができる。好ましくは、基準値は、単色の下着の場合０．４とされ、柄模様を有する下着の場合０．６とされる。これらの基準値以下である場合、視感評価によると「透けない」という評価が得られる。さらに、基準値を０．２とすることができる。色差が０．２以下である場合、視感では下着を認識することができない。
【実施例】
【００４０】
［実施例１］
代表的な色を有する複数の下着を用いて、視感により透過の程度を評価した。下着が表地を介して透けて見える程度は、主に「肌」「下着」「裏地」および「表地」の組合せに影響を受けると考えられる。本実施例では、単一の「肌」、複数の「下着」、複数の「裏地」および単一の「表地」を組み合わせて、下着の透過を防止できる「裏地」を調べた。
【００４１】
「肌」としてはマネキンを用いた。このマネキンの表面は、ベージュ色（マンセル値９ＹＲ８．５／２．５）を有していた。
【００４２】
「下着」は、代表的な色または柄を有する市販の下着を使用した。下着は全て、ブラジャーおよびパンティーから成る上下セットのものとした。無地のものとしては、ブルー、ピンク、パープル、ブラック、ホワイト、レッド、イエロー、グリーンおよびオレンジの９種を使用した。柄を有するものとしては、ベージュ色地にピンク色の水玉から成る柄、白色および黒色から成るチェック並びに黄色および黒色から成る豹柄を有する３種を使用した。さらに、エメラルドグリーン色のレース生地の下着を使用した。なお、白色と黒色との組合せは、色差が最も大きな色の組合せであり、黄色と黒色との組合せは、それらが並んだ場合に人間にとって最も視認しやすい色の組合せである。
【００４３】
「裏地」は、それぞれ、オフホワイト（１）、アイボリーホワイト（２）、ベビーピンク（１６１）、シェルピンク（１１）、アイボリー（１５９）、クリーム（レモン）（３２）、クリームベージュ（７）、イエロー（３１）、キミドリ（９４）、ライトベージュ（６）、ゴールド（２１０）、ピンク（２３）およびクロ（ＢＫ）の色を有する計１３種を使用した。全て、東レ製テトロン裏地シルウェーブを使用した。それぞれの色名に続く括弧内に表示される番号または「ＢＫ」との記載は商品の識別番号を意味する。
【００４４】
「表地」は、白衣として一般的に使用される素材を使用した。すなわち、市販される一村産業株式会社製バーバリーを使用した。
【００４５】
以上の材料を使用して、視感評価を行った。すなわち、マネキンに、下着を上下セットで装着し、さらに裏地を付した表地を装着した。自然光の下、表地から観察し、下着が透けて見えるか否かを評価した。評価は無地系の下着と柄系の下着とでそれぞれ異なる基準に基づいて行った。
【００４６】
すなわち、無地系の下着の場合、下着の上下それぞれについて透けて見えるか否かの判断を行った。上下共に透けて見えない場合「○○」とし、上が透けて見え、下が透けて見えない場合「△○」とし、上が透けて見えず、下が透けて見える場合「○△」とし、上下共に透けて見える場合「△△」とした。
【００４７】
一方、柄系の下着の場合、パンティーのみについて３段階で評価した。すなわち、透けて見えない場合「○」とし、やや透けて見える場合「△」とし、透けて見える場合「×」とした。なお、今回使用した柄系の下着では、ブラジャーとパンティーとで柄が十分に統一されていなかった。例えば、ブラジャーに柄が無い場合や、ブラジャーとパンティーとで柄が異なる場合が存在した。そのため、柄系の下着において、ブラジャーについての評価は行わなかった。
【００４８】
測定結果を以下の表１にまとめる。表中、○、○○、△○および○△の結果が得られた欄は網掛けで表示する。
【表１】
0005286385.tif 000006
【００４９】
裏地を使用しない場合、全ての下着において、△、△△または×の結果を示し、見えやすい傾向があることがわかった。一方、クロの裏地を使用する場合、全ての下着において、○、○○または△○の結果が得られ、見えにくい傾向があることがわかった。また、ピンクおよびゴールドの裏地において、クロに次いで見えにくい傾向があることがわかった。
【００５０】
［実施例２］
実施例１において調べた特定の組合せについて、機械測定に基づく評価を行った。
【００５１】
「肌」としては、日本人の平均的な肌の色として、マンセル値５ＹＲ  ６．５／４の色票を使用した。
【００５２】
「下着」としては、それぞれピンク、グリーン、ブラックおよびホワイトの色を有する無地の４種類を使用した。
【００５３】
「裏地」としては、クリームベージュ（７）、ライトベージュ（６）、ピンク（２３）およびブラック（ＢＫ）を使用した。全て、東レ製テトロン裏地シルウェーブを使用した。
【００５４】
「表地」は、白衣として一般的に使用される素材を使用した。すなわち、市販される一村産業株式会社製バーバリーを使用した。
【００５５】
まず、対照サンプルを、色票、裏地および表地を順に重ねて作製した。裏地は４種存在するため、４つの対照サンプルを作製した。さらに、裏地を除いた対照サンプル、すなわち裏地と表地とを重ねた対照サンプルを１種作製した。対照サンプルは、裏地付白衣を介して透けて見える肌の色に対応する。
【００５６】
一方、試験サンプルを、色票、下着、裏地および表地を順に重ねて作製した。下着は４種存在し、裏地は４種存在するため、これらの試験サンプルは計１６種作製された。さらに、裏地を除いた試験サンプルを作製した。下着は４種存在するため、裏地を含まない試験サンプルは、計４種作製された。
【００５７】
作製された、５種（４種＋１種）の対照サンプルおよび２０種（１６種＋４種）の試験サンプルについて、それぞれ表地側から光を照射して生じる反射光について、ＣＩＥＬＡＢ色空間の座標Ｌ＊、ａ＊およびｂ＊の各値を測定した。測定は、Ｄ６５光源がセットされた日立製分光光度計Ｃ２０００を用い、各サンプルの異なる２箇所について１度ずつ測定を行い、平均値を求めた。その結果を表２の「測定結果」の欄にまとめる。
【表２】
0005286385.tif 000007
【００５８】
なお、表２の「測定結果」の欄には、Ｌ＊、ａ＊およびｂ＊の各値の他に、マンセル表色系における色相（Ｈ）、明度（Ｖ）および彩度（Ｃ）、並びにＬｃｈ表色系の色相角（Ｈ○）および彩度（Ｃ＊）が示される。
【００５９】
さらに、表２の「色差対」の欄に、特定のサンプルを組合せたときの色差を示した。色差ΔＥ＊は、２つのサンプルからそれぞれ測定されたＬ＊、ａ＊およびｂ＊の各値を以下の式３にあてはめて算出した。
【数５】
0005286385.tif 000008
【００６０】
サンプルの組合せは、対照サンプルとピンクの下着を含む試験サンプルとの組合せ、対照サンプルとグリーンの下着を含む試験サンプルとの組合せ、対照サンプルとブラックの下着を含む試験サンプルとの組合せ、およびブラックの下着を含む試験サンプルとホワイトの下着を含む試験サンプルとの組合せの計４種とした。裏地が無い場合および裏地がある場合のそれぞれについてこの４つの組合せを算出したため、計２０種の色差を得た。組合せの詳細は「色差組合」の欄に示される。なお、ブラックの下着を含む試験サンプルとホワイトの下着を含む試験サンプルとの組合せにより、ブラックとホワイトとから成る柄の透過性を評価することができる。
【００６１】
次に、機械測定に基づく色差と、実施例１において行った視感評価との対応を検討した。以下の表３に対応関係をまとめた。表３において、例えば、裏地がクリームベージュであり下着がピンクである欄では、上段に視感評価の結果を記載し、下段に対照サンプルと試験サンプルとの間の色差を記載した。下着が「白黒チェック」である欄では、下段に、ホワイトの下着を含む試験サンプルとブラックの下着を含む試験サンプルとの間の色差を記載した。
【表３】
0005286385.tif 000009
【００６２】
表３から次のことが考察される。すなわち、下着が単色（ピンク、ブラックまたはグリーン）である場合、機械測定に基づく色差が０．４以下のときに「透けない」という視感評価が得られ、機械測定に基づく色差が０．５以上のときに「やや透ける」という視感評価が得られる。一方、下着に柄（白黒チェック）がある場合、機械測定に基づく色差が０．６以下のときに「透けない」という視感評価が得られ、１．２以上のときに「やや透ける」という視感評価が得られる。なお、色差が０．６超および１．２未満の場合は、表３の結果からは結論を得ることができない。なお、単色の場合と柄の場合とで、色差と視感評価との対応関係に差が出たのは、視感評価において用いた白黒チェックの模様がこまかかったことが原因の１つと考えられる。
【００６３】
［実施例３］
Ｐｒａｃｔｉｃａｌ  Ｃｏｌｏｒ  Ｃｏ−ｏｒｄｉｎａｔｅ  Ｓｙｓｔｅｍ（ＰＣＣＳ）に基づいて、全色域から系統的に裏地の色を選定し、視感評価を行った。
【００６４】
ＰＣＣＳは、色相（ヒュー、Ｈｕｅ）および色調（トーン、Ｔｏｎｅ）の２つの属性から構成され、小分類、中分類および大分類と色域全体を段階的に分類できるシステムを有するヒュー・トーン・システムである。このシステムにより分類された個々の色域は系統色名により表すことができる。
【００６５】
裏地の色の選定は、色相の選定およびそれぞれの色相ごとのトーンの選定に基づいて行った。ＰＣＣＳは２４色相で構成されているが、本実施例では、基本５色相を構成する赤（Ｒｅｄ）、黄色（Ｙｅｌｌｏｗ）、緑（Ｇｒｅｅｎ）、青（Ｂｌｕｅ）および紫（Ｐｕｒｐｌｅ）、並びに常用色相のオレンジ（Ｏｒａｎｇｅ）の計６色を選定した。トーンは、大分類のトーンを採用し、それぞれの色域の中から代表色を選定した。大分類とは、図３（ａ）に示されるように、Ｐｕｒｅ  Ｔｏｎｅ、Ｍｏｄｅｒａｔｅ  Ｔｏｎｅ、Ｔｉｎｔ  ＴｏｎｅおよびＳｈａｄｅ  Ｔｏｎｅの４つに分ける分類である。６つの色相のそれぞれにおいて、トーンの異なる４つの色を選定した。すなわち、計２４色を選定した。さらに、無彩色として、Ｗｈｉｔｅ、Ｌｉｇｈｔ  Ｇｒａｙ、Ｇｒａｙ、Ｄａｒｋ  ＧｒａｙおよびＢｌａｃｋの５色を選定した。無彩色の５色は、色相をＮｅｕｔｒａｌとして表す。以上の２９色を以下の表４にまとめる。
【表４】
0005286385.tif 000010
【００６６】
表４中、「サンプル」の欄には、使用した布地の詳細を示す。すなわち、数字のみが表記されたものおよび「ＢＫ」と表記された素材は、東レ製テトロン裏地シルウェーブの商品であり、「サンプル」欄の表記は商品の認識番号を意味する。一方、「Ｃ」および数字から成る表記が付された素材は、日本色彩研究所作製のカラーサンプルＣｈｒｏｍａｃｏｓｍｏｓ７０７を見本として染織により作製した視感複製であることを意味する。数字は、カラーサンプル中の数字に対応する。また、「視感マンセル値」の欄には、布地サンプルをＪＩＳ標準色票（ＪＩＳ  Ｚ８７２１）と視感比較して特定した、各布地サンプルの色のマンセル値を意味する。
【００６７】
下着は、それぞれＷｈｉｔｅ（白）、Ｙｅｌｌｏｗ（黄色）またはＢｌａｃｋ（黒）の色を有する無地の３種と、ＷｈｉｔｅとＢｌａｃｋとから成る柄またはＹｅｌｌｏｗとＢｌａｃｋとから成る柄を有する２種とを使用した。
【００６８】
以上のように選定した裏地および下着を利用して、視感評価を行った。方法としては、実施例１と同様に行った。すなわち、マネキンに下着を装着し、さらに裏地を付した表地を装着した。自然光の下、表地から観察し、下着が透けて見えるか否かを評価した。評価は以下の６段階の基準に基づいて行った。  
◎ ：全く見えない
○ ：一瞥では見えないが、詳細に観察すると観察条件によって見えることがある
△○：一瞥では見えないが、詳細に観察すると薄く見える
△ ：薄く見えるが、気になる程度ではない
×△：薄く見え、やや気になる
× ：はっきり見える。
【００６９】
視感評価の結果を以下の表５にまとめる。なお、「下着」の欄において、上段に「ｓｋｉｎ」と記載された欄は、肌の色に対して下着の色が見える程度を評価しており、上段に「Ｂｌａｃｋ」と記載された欄は、黒と白との柄または黒と黄色との柄が見える程度を評価している。
【表５】
0005286385.tif 000011
【００７０】
［実施例４］
実施例３にて視感評価したサンプルについて、測定装置を用いて色値を測定した。さらに、測定した色値を用いて、特定のサンプル間の色差を求め、色差と視感評価とを対比した。
【００７１】
まず、実施例２と同様に、対照サンプルおよび試験サンプルを作製した。本実施例では、裏地として実施例３にて選定した２９種を使用し、下着として実施例３にて使用したＷｈｉｔｅ（白）、Ｙｅｌｌｏｗ（黄色）およびＢｌａｃｋ（黒）の無地の３種を使用した。これらの裏地および下着を使用して、肌色色票、下着サンプル、裏地サンプルおよび表地サンプルが順に重なった８７種の試験サンプルを作製した。また、下着サンプルを除いた２９種の対照サンプルを作製した。したがって、計１１６種のサンプルを作製した。
【００７２】
測定は、Ｄ６５光源がセットされた日立製分光光度計Ｃ２０００を用いて行った。全ての試験サンプルについて、それぞれ表地側から光を照射して生じる反射光について、ＣＩＥＬＡＢ色空間の座標Ｌ＊、ａ＊およびｂ＊の各値を測定した。各サンプルの異なる２箇所について１度ずつ測定を行い、平均値を求めた。結果を表６−１から表６−４にまとめる。
【表６−１】
0005286385.tif 000012
【００７３】
【表６−２】
0005286385.tif 000013
【００７４】
【表６−３】
0005286385.tif 000014
【００７５】
【表６−４】
0005286385.tif 000015
【００７６】
測定結果に基づいて、特定の組合せにおける色さを算出した。算出した色差を表７−１から表７−４にまとめる。色差ΔＥ＊は、２つの測定サンプルから得られたＬ＊、ａ＊およびｂ＊の各値を以下の式４に代入することで算出した。表中、「下着無基準」の欄には、下着が無い場合の色値に対する、下着がある場合の各色値の色差が示される。これは、肌の色に対して下着の色が見える場合を想定している。「下着黒基準」の欄には、黒の下着がある場合の色値に対する、白または黄色の下着がある場合の各色値の色差が示される。これは、黒と白との柄および黒と黄色との柄が見える場合を想定している。「下着白基準」の欄には、白の下着がある場合の色値に対する、黄色の下着がある場合の各色値の色差が示される。これは、白と黄色との柄が見える場合を想定している。
【数６】
0005286385.tif 000016
【００７７】
【表７−１】
0005286385.tif 000017
【００７８】
【表７−２】
0005286385.tif 000018
【００７９】
【表７−３】
0005286385.tif 000019
【００８０】
【表７−４】
0005286385.tif 000020
【００８１】
次に、得られた色差と、実施例３において行った視感評価との対応を検討した。対応関係を以下の表８−１および表８−２にまとめた。これらの表から、色差が０．２以下の場合、視感評価で「◎」となる傾向があることがわかる。
【表８−１】
0005286385.tif 000021
【００８２】
【表８−２】
0005286385.tif 000022
【００８３】
［実施例５］
実施例３の結果に基づいて、裏地の色相ごとに、トーンと視感評価との関係を検討した。
【００８４】
（Ｒｅｄ系）
色相がＲｅｄ系である４種の裏地について、トーン大分類上にプロットした。プロットされた裏地の評価結果から、各トーンの透過防止性を評価した。
【００８５】
結果を図３にまとめる。図３（ａ）には、ＰＣＣＳにおけるトーン大分類の概要が示される。図３（ｃ）には、Ｖａｌｕｅ（明度）−Ｃｈｒｏｍａ（彩度）平面が示される。太線は、Ｐｕｒｅ  Ｔｏｎｅ、Ｍｏｄｅｒａｔｅ  Ｔｏｎｅ、Ｔｉｎｔ  ＴｏｎｅおよびＳｈａｄｅ  Ｔｏｎｅの４種のトーンの境界を意味する。黒丸により示された４つの点が視感評価を行った裏地を意味する。それぞれの裏地の色のＶａｌｕｅ−Ｃｈｒｏｍａ平面上の位置が把握できる。図３（ｂ）には、トーンと視感評価との対応が示される。すなわち、そのトーンに属する裏地の視感評価の結果が、トーンごとに示されている。
【００８６】
図３（ｂ）の結果から、ピンクおよび鮮やかな赤は透ける傾向があることがわかる。また、Ｒｅｄ系の色相の場合、モデレートトーンおよびシェードトーンは透けないと結論される。これらのトーンに含まれる色名を例示すると、ダルレッド、ディープレッド、ダークレッド、グレイッシュレッド、ダークグレイッシュレッド、暗い赤、深い赤、にぶい赤、濃い赤、暗い灰みの赤、灰みの赤、ワインレッドが挙げられる。
【００８７】
（Ｏｒａｎｇｅ系）
色相がＯｒａｎｇｅ系である４種の裏地について、トーン大分類上にプロットした。プロットされた裏地の評価結果から、各トーンの透過防止性を評価した。
【００８８】
結果を図４にまとめる。図４（ａ）から（ｃ）の意味は、図３（ａ）から（ｃ）の意味と同様である。
【００８９】
図４（ｂ）の結果から、ベージュ、明るいオレンジおよび鮮やかなオレンジは透ける傾向があることがわかる。また、Ｏｒａｎｇｅ系の色相の場合、モデレートトーンおよびシェードトーンは透けないと結論される。なお、Ｏｒａｎｇｅ系色相のシェードトーンはブラウン系となる。これらのトーンに含まれる色名を例示すると、ディープオレンジ、ブラウン、グレイッシュブラウン、ディープブラウン、ダークブラウン、ダークグレイッシュブラウン、深いオレンジ、茶色、暗い茶色、灰みの茶色、暗い灰みの茶色、焦げ茶色が挙げられる。
【００９０】
（Ｙｅｌｌｏｗ系）
色相がＹｅｌｌｏｗ系である４種の裏地について、トーン大分類上にプロットした。プロットされた裏地の評価結果から、各トーンの透過防止性を評価した。
【００９１】
結果を図５にまとめる。図５（ａ）から（ｃ）の意味は、図３（ａ）から（ｃ）の意味と同様である。
【００９２】
図５（ｂ）の結果から、明るい黄色、薄い黄色および鮮やかな黄色は透ける傾向があることがわかる。また、Ｙｅｌｌｏｗ系の色相の場合、モデレートトーンおよびシェードトーンは透けないと結論される。これらのトーンに含まれる色名を例示すると、ディープイエロー、ダークイエロー、ダークオリーブ、グレイッシュオリーブ、ダークグレイッシュオリーブ、暗い黄色、深い黄色、オリーブ色、カーキー色、暗いオリーブ、灰みのオリーブおよび暗い灰みのオリーブが挙げられる。
【００９３】
（Ｇｒｅｅｎ系）
色相がＧｒｅｅｎ系である４種の裏地について、トーン大分類上にプロットした。プロットされた裏地の評価結果から、各トーンの透過防止性を評価した。
【００９４】
結果を図６にまとめる。図６（ａ）から（ｃ）の意味は、図３（ａ）から（ｃ）の意味と同様である。
【００９５】
図６（ｂ）の結果から、明るい緑、薄い緑および鮮やかな黄色は透ける傾向があることがわかる。また、Ｇｒｅｅｎ系の色相の場合、ピュアトーン、モデレートトーンおよびシェードトーンは透けないと結論される。これらのトーンに含まれる色名を例示すると、ビビッドグリーン、ストロンググリーン、ダルグリーン、ダークグリーン、グレイッシュグリーン、ダークグレイッシュグリーン、鮮やかな緑、強い緑、深い緑、暗い緑、灰みの緑、暗い灰みの緑およびオリーブグリーンが挙げられる。
【００９６】
（Ｂｌｕｅ系）
色相がＢｌｕｅ系である４種の裏地について、トーン大分類上にプロットした。プロットされた裏地の評価結果から、各トーンの透過防止性を評価した。
【００９７】
結果を図７にまとめる。図７（ａ）から（ｃ）の意味は、図３（ａ）から（ｃ）の意味と同様である。
【００９８】
図７（ｂ）の結果から、明るい青および薄い青は透ける傾向があることがわかる。また、Ｂｌｕｅ系の色相の場合、ピュアトーン、モデレートトーンおよびシェードトーンは透けないと結論される。これらのトーンに含まれる色名を例示すると、ビビッドブルー、ストロングブルー、ダークブルー、グレイッシュブルー、ダークグレイッシュブルー、鮮やかな青、強い青、深い青、暗い青、灰みの青、暗い灰みの青、紺色および藍色が挙げられる。
【００９９】
（Ｐｕｅｐｌｅ系）
色相がＢｌｕｅ系である４種の裏地について、トーン大分類上にプロットした。プロットされた裏地の評価結果から、各トーンの透過防止性を評価した。
【０１００】
結果を図８にまとめる。図８（ａ）から（ｃ）の意味は、図３（ａ）から（ｃ）の意味と同様である。
【０１０１】
図８（ｂ）の結果から、明るい紫および薄い紫は透ける傾向があることがわかる。また、Ｐｕｅｐｌｅ系の色相の場合、ピュアトーン、モデレートトーンおよびシェードトーンは透けないと結論される。これらのトーンに含まれる色名を例示すると、ビビッドパープル、ストロングパープル、ダルパープル、ダークパープル、グレイッシュパープル、ダークグレイッシュパープル、鮮やかな紫、強い紫、深い紫、暗い紫、灰みの紫および暗い灰みの紫が挙げられる。
【０１０２】
（Ｎｕｅｔｒａｌ系）
無彩色である５種の裏地について、明度と透過防止性との関係を評価した。
【０１０３】
結果を図９にまとめる、図９（ａ）には、５種の裏地の分類の概要が示される。図９（ｂ）には、Ｖａｌｕｅ（明度）−Ｃｈｒｏｍａ（彩度）平面が示される。なお、無彩色は理論上彩度が０である。図９（ｂ）には、明度の分類と視感評価との対応が示される。すなわち、その明度の分類に属する裏地の視感評価の結果が、明度の分類ごとに示されている。
【０１０４】
図９（ｂ）の結果から、白および明るいグレイは透ける傾向があることがわかる。また、無彩色の場合、中間のグレイ、暗いグレイおよび黒は透けないと結論される。これらに含まれる色名を例示すると、グレイ、ミドルグレイ、灰色、ダークグレイ、暗い灰色、ブラック、黒および墨色が挙げられる。
【０１０５】
［実施例６］
実施例３にて視感評価した裏地に関して、Ｈｕｅ（色相）−Ｖａｌｕｅ（明度）平面にプロットし、視感評価と平面上の座標との関連性を検討した。
【０１０６】
実施例３にて使用した２９種の裏地を、それぞれの色のマンセル表色系（ＪＩＳ  Ｚ８７２１）による色相および明度の値に基づいて、Ｈｕｅ（色相）−Ｖａｌｕｅ（明度）平面にプロットした。このとき、視感評価で全ての下着に対して「◎」または「○」を示し且つ色差が０．２以下であった裏地については白抜きの丸を表示し、それ以外の裏地については黒丸で表示した。また、２９種の裏地に加え、青緑（ＢＧ）系の色を有する４種の裏地について、実施例３と同様に視感評価を行い、同様にプロットした。
【０１０７】
その結果を図１０に示す。図１０に示される平面では、縦軸をＶａｌｕｅとし、横軸をＨｕｅとしている。横軸では、マンセル表色系における１０種の色相を、色相環の順番通りに配置している。すなわち、左端から、赤（Ｒ）、黄赤（ＹＲ）、黄（Ｙ）、黄緑（ＧＹ）、緑（Ｇ）、青緑（ＢＧ）、青（Ｂ）、紫青（ＰＢ）、紫（Ｐ）および赤紫（ＲＰ）が順に配列されている。また、無彩色の５種についても、Ｖａｌｕｅ−Ｈｕｅ平面の横にプロットした。
【０１０８】
図１０から、明度と透過防止効果との間に相関があることがわかった。すなわち、全ての色相において、明度が低い場合に、透過防止効果が得られることがわかった。図１０には、透過を防止できる明度と防止できない明度との間の境界として予想される線を示す。また、色相によって透過防止効果が得られる明度が異なることがわかった。例えば、黄色（Ｙ）の色相では明度６と８との間に境界があるのに対し、赤（Ｒ）の色相では明度３．５と４との間に境界があった。無彩色を含む全ての色において透過防止効果が得られるのは明度４が未満である場合であり、特に明度が３．５以下である場合であることがわかった。
【０１０９】
［実施例７］
「肌」の色が変わった場合の、視感評価への影響を検討した。具体的には、実施例３における特定のサンプルについて、「肌」の色を変更して同様に視感評価を行った。
【０１１０】
「肌」の色として、黒人の肌および東南アジア人の肌を想定して、それぞれ東レ製テトロン裏地シルウェーブの４９および５３を選定した。これらの布地をマネキン全体に貼り付けて使用した。選定に際して、日本色彩学会編、「カラーインライフ」、朝倉書店、２００６年における、棟方明博氏執筆「２．３  肌の色・化粧の色」の記載（７９−８１頁）を参考にした。比較対照として、実施例３にて用いたマネキンの本来の色を使用した。
【０１１１】
裏地は、色相ごとに１色の裏地を選んだ。下着は、それぞれ黒、白および黄色の無地の３種、並びにグレーと黒とのストライプ模様の下着、白と黒とのストライプ模様の下着および黄色と黒とのストライプの下着の３種を使用した。
【０１１２】
評価は、実施例３と同様に視感評価にて行った。結果を以下の表９に示す。
【表９】
0005286385.tif 000023
【０１１３】
表９から、日本人の肌の色において効果が得られた裏地では、異なる肌の色の場合も同様に効果が得られることがわかる。すなわち、肌の色が変化は、実施形態に係る裏地付白衣の効果に影響を及ぼさないと結論される。
【符号の説明】
【０１１４】
１…裏地付白衣、２…表地、３…裏地、４…メッシュ生地、５…合せ目、６…アームホール、７…前面、８…背面、９…左前面、１０…右前面。
【図１】
0005286385.tif 000028
【図２】
0005286385.tif 000029
【図３】
0005286385.tif 000030
【図４】
0005286385.tif 000031
【図５】
0005286385.tif 000032
【図６】
0005286385.tif 000033
【図７】
0005286385.tif 000034
【図８】
0005286385.tif 000035
【図９】
0005286385.tif 000036
【図１０】
0005286385.tif 000037